(57)【要約】【課題】一層の薄型化を図ることが可能な磁気素子を提供すること。【解決手段】巻線を巻回することにより構成されるコイル２０と、磁性材を含むと共に、コイル２０の外周に倣って変形可能な柔軟性を備える複数の磁性シート３０〜３５と、を具備すると共に、複数の磁性シート３０〜３５は、コイル２０を包み込む状態で配置されると共に、複数の磁性シート３０〜３５は、隣り合う磁性シート３０〜３５に対して一体的に接合される接合部Ｐを有している。【選択図】図１
2008147342.tif 000002
【特許請求の範囲】
【請求項１】
巻線を巻回することにより構成されるコイルと、
磁性材を含むと共に、上記コイルの外周に倣って変形可能な柔軟性を備える磁性シートと、
を具備すると共に、
上記磁性シートは、上記コイルを包み込む状態で配置されると共に、
上記磁性シートは、隣り合う磁性シートまたは隣り合うと共に磁性材を含みかつ柔軟性を備えないコア部材に対して一体的に接合される接合部を有する、
ことを特徴とする磁気素子。
【請求項２】
巻線を巻回することにより構成されるコイルと、
磁性材を含むと共に、上記コイルの外周に倣って変形可能な柔軟性を備える複数の磁性シートと、
を具備すると共に、
上記複数の磁性シートは、上記コイルを包み込む状態で配置されると共に、
上記複数の磁性シートは、隣り合う磁性シートに対して一体的に接合される接合部を有する、
ことを特徴とする磁気素子。
【請求項３】
巻線を巻回することにより構成されるコイルと、
磁性材を含むと共に、上記コイルの外周に倣って変形可能な柔軟性を備える少なくとも１枚の磁性シートと、
上記磁性シートに対して接合されると共に、上記コイルの外周に倣う変形が不能な第２の磁性部材と、
を具備すると共に、
上記磁性シートと上記第２の磁性部材との間には、少なくとも一箇所以上の接合部が設けられていて、上記磁性シートと上記第２の磁性部材との間には、上記コイルが配置されている、
ことを特徴とする磁気素子。
【請求項４】
前記コイルは、複数設けられていると共に、
複数の前記磁性シートの一つは、複数の前記コイルのいずれかを、他の前記磁性シートのいずれかと共に包み込むことにより、前記コイルと前記磁性シートとの多層構造が実現されている、
ことを特徴とする請求項１記載の磁気素子。
【発明の詳細な説明】
【技術分野】
【０００１】
本発明は、各種の電子機器に実装される磁気素子に関する。
【背景技術】
【０００２】
従来より、ドラムコアに巻線が巻回されている構成の磁気素子（インダクタ等）が存在する。かかる磁気素子が具備するドラムコアは、巻芯部の両端側に上鍔部および下鍔部をそれぞれ備えている。なお、かかるドラムコアを備える磁気素子の一例としては、特許文献１に開示されているものがある。
【０００３】
【特許文献１】特開２００５−２６６０５号公報（要約、図３等参照）
【発明の開示】
【発明が解決しようとする課題】
【０００４】
ところで、磁気素子が実装される各種の電子機器においては、小型化および薄型化の要請があり、それに伴って、磁気素子の低背化も求められている。ここで、低背化を図る手法としては、巻線の巻数の削減を伴う巻芯部の長さ寸法の削減を図る場合もあるが、当該巻芯部の長さ寸法の削減は、巻数を伴うことから磁気素子の特性変化に至る場合が多く、その手法は採用し難い。そのため、磁気素子の低背化を図る場合、大きな特性変化を伴わないドラムコアの上鍔部および下鍔部が、寸法削減のターゲットとなり易い。
【０００５】
しかしながら、上鍔部および下鍔部を厚み寸法を小さくすると、当該上鍔部および下鍔部の強度が低下して、割れ易くなってしまう。そのため、低背化が進展している現状においては、上鍔部および下鍔部の厚み寸法は、略０．２５ｍｍとなっており、これ以上、上鍔部および下鍔部の薄型化を進行させるのは、上述の強度面から困難となっている。そのため、現状の磁気素子とは全く異なる構成を採用する以外、磁気素子の低背化を一層進展させることが困難となっている。
【０００６】
本発明は上記の事情にもとづきなされたもので、その目的とするところは、一層の薄型化を図ることが可能な磁気素子を提供しよう、とするものである。
【課題を解決するための手段】
【０００７】
上記課題を解決するために、本発明は、巻線を巻回することにより構成されるコイルと、磁性材を含むと共に、コイルの外周に倣って変形可能な柔軟性を備える磁性シートと、を具備すると共に、磁性シートは、コイルを包み込む状態で配置されると共に、磁性シートは、隣り合う磁性シートまたは隣り合うと共に磁性材を含みかつ柔軟性を備えないコア部材に対して一体的に接合される接合部を有するものである。
【０００８】
このように構成する場合、磁性シートは、シート状の部材であり、柔軟に変形可能であるため、ドラムコアの上鍔部および下鍔部等の柔軟性を備えない（変形不能な）部位よりも、厚み寸法を小さくすることが可能となる。そのため、本発明の磁気素子は、現状の磁気素子と比較して、低背化が可能となる。また、コイルが磁性シートで包み込まれることにより、コイルから発生する磁束の漏れを防止することが可能となる。また、コイルは、この磁性シートに包み込まれる状態となると共に、この磁性シートと隣り合う磁性シート／または隣り合うコア部材との間には、互いに接合される接合部が設けられている。そのため、本発明の磁気素子は、上鍔部および下鍔部が存在する現状の磁気素子と比較して、コイルが磁性シートで包み込まれることにより、コイルから発生する磁束の漏れを防止することが可能となる。
【０００９】
また、他の発明は、巻線を巻回することにより構成されるコイルと、磁性材を含むと共に、コイルの外周に倣って変形可能な柔軟性を備える複数の磁性シートと、を具備すると共に、複数の磁性シートは、コイルを包み込む状態で配置されると共に、複数の磁性シートは、隣り合う磁性シートに対して一体的に接合される接合部を有するものである。
【００１０】
このように構成する場合、磁性シートは、シート状の部材であり、柔軟に変形可能であるため、ドラムコアの上鍔部および下鍔部等の柔軟性を備えない（変形不能な）部位よりも、厚み寸法を小さくすることが可能となる。また、この磁性シートに包み込まれる状態でコイルが配置され、隣り合う（重ね合わせられる）磁性シートには、互いに接合される接合部が設けられている。そのため、本発明の磁気素子は、上鍔部および下鍔部が存在する現状の磁気素子と比較して、低背化が可能となる。また、コイルが磁性シートで包み込まれることにより、コイルから発生する磁束の漏れを防止することが可能となる。また、本発明の磁気素子は、低背化が可能でありながらも、上鍔部および下鍔部を薄型化する場合のような、割れ等に対する強度が問題となる場合がほとんどない。
【００１１】
また、他の発明は、巻線を巻回することにより構成されるコイルと、磁性材を含むと共に、コイルの外周に倣って変形可能な柔軟性を備える少なくとも１枚の磁性シートと、磁性シートに対して接合されると共に、コイルの外周に倣う変形が不能な第２の磁性部材と、を具備すると共に、磁性シートと第２の磁性部材との間には、少なくとも一箇所以上の接合部が設けられていて、磁性シートと第２の磁性部材との間には、コイルが配置されているものである。
【００１２】
このように構成した場合には、磁性シートは、シート状の部材であり、柔軟に変形可能であるため、ドラムコアの上鍔部および下鍔部等の柔軟性を備えない部材よりも、厚み寸法を小さくすることが可能となる。このため、磁性シートがコイルの外周に倣って柔軟に変形することにより、コイルを包み込む状態とすることが可能となる。また、コイルが磁性シートで包み込まれることにより、コイルから発生する磁束の漏れを防止することが可能となる。また、本発明の磁気素子は、磁性シートが存在する分だけ、上鍔部および下鍔部が存在する現状の磁気素子と比較して、低背化が可能となる。
【００１３】
さらに、他の発明は、上述の発明に加えて更に、コイルは、複数設けられていると共に、複数の磁性シートの一つは、複数のコイルのいずれかを、他の磁性シートのいずれかと共に包み込むことにより、コイルと磁性シートとの多層構造が実現されているものである。
【００１４】
このように構成した場合には、コイルが複数存在すると共に、これら各々のコイルを包み込む複数の磁性シートの存在により、コイルおよび磁性シートが多層状に設けられる。このため、本発明の磁気素子を、トランス、ノイズカットフィルタ、チョークコイル等、より一層多用な用途に用いることが可能となる。
【発明の効果】
【００１５】
本発明によると、磁気素子において、一層の薄型化を図ることが可能となる。
【発明を実施するための最良の形態】
【００１６】
（第１の実施の形態）
以下、本発明の第１の実施の形態に係る、磁気素子１０について、図１に基づいて説明する。図１は、本実施の形態における磁気素子１０の構成を示す側断面図である。
【００１７】
なお、以下の実施の形態においては、上下方向とは、図１におけるＸ方向を指すものとする（後述する図２以下の磁気素子１１〜１６においても同様）。そして、このＸ方向において、磁性シート３０ａから見て磁性シート３０ｂが存在する側を上側とし、その逆側を下側とする（後述する図２以下の磁気素子１１〜１６においても同様）。
【００１８】
図１に示すように、磁気素子１０は、コイル２０と、磁性シート３０ａ，３０ｂと、を具備している。これらのうち、コイル２０は、例えば外部が絶縁被膜で覆われているエナメル線等の断面が円形状を為す巻線を所定の巻数だけ巻回したものである。
【００１９】
なお、本実施の形態では、コイル２０は、本実施の形態では、その断面が略楕円形状を為すように設けられている。しかしながら、コイル２０の断面形状は、これには限られず、例えばアーモンド形状、円形状、四角形状等、種々の形状を採用することが可能である。また、コイル２０は、本実施の形態では、その平面形状が略リング形状を為すように巻回されている。しかしながら、コイル２０の平面形状は、略リング形状には限られず、四角形状等、多角形状またはその他の形状に形成されていても良い。また、コイル２０を構成する巻線は、断面が円形状を為す巻線（丸線）には限られず、断面が長方形状（矩形状）等を為す平角線を用いるようにしても良い。
【００２０】
また、本実施の形態では、磁気素子１０が備える磁性シート３０ａ，３０ｂは、一対設けられている。この磁性シート３０ａ，３０ｂは、磁性粉末と、樹脂等のバインダーとから構成されるシート部材であり、コイル２０の外周に沿って変形可能な柔軟性を備えている。ここで、磁性粉末としては、フェライト粉末、例えばセンダスト（Fe-Al-Si）、パーマロイ（Fe-Ni ）、鉄シリコンクロム（Fe-Si-Cr）等の磁性金属粉末等、種々の磁性材を粉末状にしたものを用いることが可能である。また、バインダーの材質としては、ＰＥＴ（ポリエチレンテレフタラート）、ポリエチレン、塩化ビニル、合成ゴム、天然ゴム等がある。
【００２１】
この磁性シート３０ａ，３０ｂは、その厚み寸法が０．１０ｍｍ〜０．５０ｍｍに設けられている。また、磁性シート３０ａ，３０ｂは、その平面形状が、上述の略リング形状のコイル２０に対応させて、円形状に設けられている。また、円形状を為す磁性シート３０ａ，３０ｂの直径は、コイル２０の直径よりも十分に大きく設けられていて、当該コイル２０を良好に包み込むことを可能としている。
【００２２】
ここで、本実施の形態では、例えば各構成部材の最も下方に磁性シート３０ａを配置する。そして、下方に配置された磁性シート３０ａの上部に、コイル２０を載置する。さらに、このコイル２０の上部から、当該コイル２０を覆うように、磁性シート３０ｂを配置する。このとき、最も下方に位置する磁性シート３０ａ、コイル２０および最も上方に位置する磁性シート３０ｂは、それぞれの中心が位置合わせされた状態で配置される。また、磁性シート３０ａ，３０ｂの位置合わせを行う場合、コイル２０の端末（不図示）を外部に引き出すようにしておく。
【００２３】
上述の配置後に、磁性シート３０ａ，３０ｂの外周縁部、および磁性シート３０ａ，３０ｂの内周側を、それぞれ接合させる。なお、かかる接合が為されると、磁性シート３０ａ，３０ｂの外周縁部および内周側に、２つの磁性シート３０ａ，３０ｂの一体化が為された接合部Ｐがそれぞれ存在する状態となる。なお、この接合を行う場合、当該接合に先立って、磁性シート３０ａ，３０ｂをコイル２０の外周に倣わせる（沿わせる）ようにする。また、コイル２０の端末は、磁性シート３０ａ，３０ｂで覆われつつ、磁性シート３０ａ，３０ｂの内径側から外径側に向かって横断的に設けられる。
【００２４】
また、磁性シート３０ａ，３０ｂ同士の接合は、当該磁性シート３０ａ，３０ｂに超音波振動を与える超音波融着装置を用いることが可能である。この場合、磁性シート３０ａ，３０ｂに対する超音波振動の付与により、互いに接触している接触面に摩擦熱が生じる。かかる摩擦熱により、２つの磁性シート３０ａ，３０ｂの接触面は、強固に融着される。また、その他の接合方法としては、磁性シート３０ａ，３０ｂの外周縁部および内周側を熱圧着する等により、磁性シート３０ａと磁性シート３０ｂとを接合する手法がある。ここで、この熱圧着においては、所定の形状の成型部を有する金型等を用いて、プレス成型するようにしても良い。さらに、その他の接合方法としては、磁性シート３０ａ，３０ｂが互いに接触する接触面（磁性シート３０ａ，３０ｂの外周縁部および内周側）に接着剤を塗布し、その後押圧等により２つの磁性シート３０ａ，３０ｂを接合させるようにしても良い。
【００２５】
なお、本実施の形態における磁気素子１０では、上下方向において対称となるように形成されている。このため、上述の各種の接合方法のうち、金型を用いる熱圧着、および接触面に接着剤を塗布する等の手法が好適である。
【００２６】
以上のような構成を有する磁気素子１０によると、磁性シート３０ａ，３０ｂは、シート状の部材であり、その厚み寸法が０．１０ｍｍ〜０．５０ｍｍに設けられている。しかも、磁性シート３０ａ，３０ｂは、柔軟に変形可能となっている。そのため、現状の磁性素子のように、ドラムコアの上鍔部および下鍔部等のような、柔軟性を備えない部分（変形不能な部分）を具備する構成よりも、厚み寸法を小さくすることが可能となる。
【００２７】
また、磁性シート３０ａ，３０ｂに包み込まれる状態でコイル２０が配置され、隣り合う（重ね合わせられる）磁性シート３０ａ，３０ｂには、互いに接合される接合部Ｐが設けられている。そのため、本実施の形態の磁気素子１０は、上鍔部および下鍔部が存在する現状の磁気素子と比較して、低背化が可能となる。また、本実施の形態の磁気素子１０は、低背化が可能でありながらも、上鍔部および下鍔部を薄型化した場合のような、割れ等に対する強度が問題となる場合がほとんどない。そのため、本発明の磁気素子１０が実装される製品においては、信頼性が高まり、製品寿命を長くすることが可能となる。
【００２８】
（第２の実施の形態）
以下、本発明の第２の実施の形態に係る磁気素子１１について、図２に基づいて説明する。なお、本実施の形態は、上述の第１の実施の形態で述べた構成と同様の構成については、同一の符号を付して説明する。
【００２９】
図２に示すように、本実施の形態における磁気素子１１においては、上述の第１の実施の形態における磁気素子１０とは異なり、上下方向における形状が非対称となっている。
【００３０】
ここで、下方に配置される磁性シート３１ａは、設置面Ｇに倣うように設置され、略水平に配置される。しかしながら、上方に配置される磁性シート３１ｂは、コイル２０に倣うように配置されるため、当該コイル２０の形状に従って、設置面Ｇからの距離が変動する（上下方向に起伏する）状態となる。そのため、磁気素子１１を形成する前の段階においては、上方に配置される磁性シート３１ｂの方が、下方に配置される磁性シート３１ａよりも、直径が大きく設けられている。
【００３１】
また、本実施の形態における磁気素子１１においても、磁性シート３１ａ、コイル２０、磁性シート３１ｂの配置が終了した後に、磁性シート３１ａ，３１ｂの外周縁部、および磁性シート３１ａ，３１ｂの内周側をそれぞれ接合させる。
【００３２】
なお、本実施の形態における磁気素子１１においても、上述の第１の実施の形態における各種の接合方法と同様に、超音波融着装置を用いるようにしても良く、熱圧着を採用しても良く、さらには接着剤を用いるようにしても良い。なお、本実施の形態においては、下方に配置される磁性シート３１ａは、水平状の配置となっているため、超音波融着装置を用いる場合、接合強度を向上させることが可能となる。
【００３３】
以上のような構成を有する磁気素子１１によると、上述の第１の実施の形態における磁気素子１０が奏する効果の他に、当該磁気素子１１の製作が容易となる。すなわち、設置面Ｇに磁性シート３１ａを水平状に配置し、この磁性シート３１ａに対して、磁性シート３１ｂを接合させる。このため、接合作業が容易となる。さらに、安定的かつ略水平な設置面Ｇに磁性シート３１ａを配置した状態で、磁性シート３１ａと磁性シート３１ｂとの間の接合が為されるため、接合強度を向上させることが可能となる。
【００３４】
（第３の実施の形態）
以下、本発明の第３の実施の形態に係る磁気素子１２について、図３に基づいて説明する。なお、本実施の形態は、上述の第１の実施の形態で述べた構成と同様の構成については、同一の符号を付して説明する。
【００３５】
本実施の形態では、磁気素子１２の中央部分には、挿通孔４０が設けられている。そして、この挿通孔４０には、コイル２０が露出する状態で設けられている。
【００３６】
すなわち、本実施の形態においては、磁性シート３２ａ，３２ｂには、その中心部分に孔部３２ｃが設けられている。この孔部３２ｃの直径は、当該コイル２０の中心側の部分（特に、コイル２０の中心孔２０ｃに面する部分）に、磁性シート３２ａ，３２ｂで覆われずに、外部に露出する部分が存在するように設定されている。それにより、コイル２０を磁性シート３２ａ，３２ｂで覆っても、コイル２０の内周側が挿通孔４０に露出する状態となっている。
【００３７】
また、本実施の形態における磁気素子１２においては、上述のようにコイル２０の内周側が挿通孔４０に露出する。そのため、磁性シート３２ａ、コイル２０、磁性シート３２ｂの配置が終了した後に、磁性シート３２ａ，３２ｂの外周縁部では接合が為されるものの、コイル２０の内周側では接合が為されない。
【００３８】
以上のような構成の磁気素子１２によると、コイル２０の内周側は、磁性シート３２ａ，３２ｂで覆われていない。このため、上述の第１の実施の形態における磁気素子１０が奏する効果の他に、コイル２０への電流の導通により、磁気が発生すると、その磁気は外部に漏れる状態となり、当該磁気素子１２をアンテナとして用いることが可能となる。
【００３９】
（第４の実施の形態）
以下、本発明の第４の実施の形態に係る磁気素子１３について、図４に基づいて説明する。なお、本実施の形態は、上述の第１の実施の形態で述べた構成と同様の構成については、同一の符号を付して説明する。
【００４０】
本実施の形態では、磁気素子１３を構成する磁性シート３３ａ，３３ｂは、上述の第１の実施の形態における磁性シート３０ａ，３０ｂ、および上述の第２の実施の形態における磁性シート３１ａ，３１ｂよりも、その直径が小さく設けられている。ここで、本実施の形態における磁性シート３３ａ，３３ｂの直径は、コイル２０の外周側の部分に、磁性シート３２ａ，３２ｂで覆われずに、外部に露出する部分が存在するように設定されている。それにより、コイル２０を磁性シート３２ａ，３２ｂで覆っても、コイル２０の外周側が外部に露出する状態となっている。
【００４１】
以上のような構成の磁気素子１３によると、コイル２０の外周側は、磁性シート３３ａ，３３ｂで覆われていない。そのため、本実施の形態における磁気素子１３では、上述の第１の実施の形態における磁気素子１０が奏する効果の他に、上述の第３の実施の形態における磁気素子１２と同様に、コイル２０への電流の導通によって磁気が発生すると、その磁気が外部に漏れて、当該磁気素子１３をアンテナとして利用することが可能となる。
【００４２】
また、磁気素子１３の外周側には、第３の実施の形態における磁気素子１２のような接合部Ｐが設けられていない。そのため、磁気素子１３の径方向における寸法を小さくすることが可能となり、一層の小型化を図ることが可能となる。
【００４３】
（第５の実施の形態）
以下、本発明の第５の実施の形態に係る磁気素子１４について、図５に基づいて説明する。なお、本実施の形態は、上述の第１の実施の形態で述べた構成と同様の構成については、同一の符号を付して説明する。
【００４４】
本実施の形態における磁気素子１４では、コイル２０が２つ設けられている。そして、これら２つのコイル２０ａ，２０ｂのうち、コイル２０ａは磁性シート３４ａと磁性シート３４ｂによって覆われると共に、コイル２０ｂは磁性シート３４ｂと磁性シート３４ｃによって覆われる。
【００４５】
また、磁性シート３４ａ，３４ｂ，３４ｃは、それぞれコイル２０ａ，２０ｂの外周に倣う状態で配置される。そのため、磁性シート３４ａ，３４ｂ，３４ｃの直径を比較すると、最も上方に配置される磁性シート３４ｃは、コイル２０ｂに倣うように配置される関係上、当該コイル２０ｂの形状に従って、設置面Ｇからの距離が最も大きく変動する（上下方向に最も大きく起伏する）状態となる。すなわち、３つの磁性シート３４ａ，３４ｂ，３４ｃは、これらの中心で接合が為されるが、かかる接合は、設置面Ｇに設置される磁性シート３４ａの中心が、設置面Ｇへの接触を維持する状態で為される。このため、磁性シート３４ｃは、２つのコイル２０ａ，２０ｂが存在する分だけ上下方向に大きく起伏する。このため、磁性シート３４ｃは、最も大きく起伏する状態となる。
【００４６】
また、磁性シート３４ａと磁性シート３４ｃとの間に位置する磁性シート３４ｂは、コイル２０ａに倣うように配置される関係上、当該コイル２０ａの形状に従って、設置面Ｇからの距離が変動する（上下方向に起伏する。）。しかしながら、この磁性シート３４ｂの起伏は、磁性シート３４ｃよりも小さい状態となっている。また、磁性シート３４ａは、設置面Ｇに略水平を為して設置されるため、上下方向に起伏しない状態となっている。
【００４７】
ここで、本実施の形態における磁気素子１４を製造する場合、まず磁性シート３４ａを設置面に配置し、その上部にコイル２０ａを配置する。さらに、このコイル２０ａの上部に磁性シート３４ｂを配置する。さらに、磁性シート３４ｂの上部にコイル２０ｂを配置し、当該コイル２０ｂの上部（最上部）に磁性シート３４ｃを配置する。このとき、コイル２０ａ，２０ｂおよび磁性シート３４ａ，３４ｂ，３４ｃは、それぞれの中心が位置合わせされた状態で配置される。
【００４８】
また、磁性シート３４ａ，３４ｂ，３４ｃは、それぞれ外周縁部および磁性シート３４ａ，３４ｂ，３４ｃの内周側を、それぞれ接合させる。このとき、上述の第１の実施の形態等における各種の接合方法と同様に、超音波融着装置を用いるようにしても良く、熱圧着を採用しても良く、さらには接着剤を用いるようにしても良い。
【００４９】
以上のような構成の磁気素子１４では、２つのコイル２０ａ，２０ｂを備えている。そのため、この磁気素子１４は、上述の第１の実施の形態における磁気素子１０が奏する効果の他に、例えばトランス、ノイズカットフィルタ、チョークコイル等、より一層多用な用途に用いることが可能となる。
【００５０】
また、上述の第２の実施の形態における磁気素子１１と同様に、設置面Ｇに磁性シート３４ａを水平状に配置し、この磁性シート３４ａに対して、磁性シート３４ｂ、磁性シート３４ｃが順次接合させる。このため、接合作業が容易となり、磁気素子１４の製作が容易となる。さらに、安定的かつ略水平な設置面Ｇに磁性シート３４ａを配置した状態で、磁性シート３４ａ〜３４ｃの間の接合が為されるため、接合強度を向上させることが可能となる。
【００５１】
（第６の実施の形態）
以下、本発明の第６の実施の形態に係る磁気素子１５について、図６に基づいて説明する。なお、本実施の形態は、上述の第１の実施の形態、第５の実施の形態等で述べた構成と同様の構成については、同一の符号を付して説明する。
【００５２】
本実施の形態における磁気素子１５は、上述の第５の実施の形態における磁気素子１４と同様に、２つのコイル２０ａ，２０ｂを備えると共に、３つの磁性シート３５ａ，３５ｂ，３５ｃを備えている。しかしながら、本実施の形態における磁気素子１５では、コイル２０ａ，２０ｂおよび磁性シート３５ａ，３５ｂ，３５ｃの配置が、上述の第１の実施の形態における磁気素子１０に類似する状態となっている。
【００５３】
すなわち、本実施の形態では、磁性シート３５ａ，３５ｃは、これらの中心線（磁性シート３５ｂと略水平を為す線）を挟んで、対称となるように設けられている。このとき、磁性シート３５ａ，３５ｃは、中心線（磁性シート３５ｂ）に対して、距離が変動する（上下方向に起伏する）状態となる。
【００５４】
そのため、磁性シート３５ａ，３５ｂ，３５ｃは、磁性シート３５ａと磁性シート３５ｃの直径が略等しく設けられている。また、起伏がほとんどない状態に設けられている磁性シート３５ｂの直径は、磁性シート３５ａ，３５ｃの直径よりも小さく設けられている。
【００５５】
また、磁性シート３５ａ，３５ｂ，３５ｃを接合する手法は、上述の第１の実施の形態および第５の実施の形態におけるものと同様となっている。
【００５６】
以上のような構成の磁気素子１５では、上述の第５の実施の形態における磁気素子１４と同様に、２つのコイル２０ａ，２０ｂを備えている。そのため、この磁気素子１５は、上述の第１の実施の形態における磁気素子１０が奏する効果の他、例えばトランス、ノイズカットフィルタ、チョークコイル等、より一層多用な用途に用いることが可能となる。
【００５７】
また、本実施の形態における磁気素子１５は、中心線（磁性シート３５ｂ）を挟んで対称形状に設けられている。そのため、磁気素子１５を実装基板に実装する際に、上下を逆転させて実装可能となる。
【００５８】
（第７の実施の形態）
以下、本発明の第７の実施の形態に係る磁気素子１６について、図７に基づいて説明する。なお、本実施の形態は、上述の第１の実施の形態等で述べた構成と同様の構成については、同一の符号を付して説明する。
【００５９】
本実施の形態における磁気素子１６は、上述の第２の実施の形態における磁気素子１１の一部を変更するものである。この磁気素子１６においては、上述の第２の実施の形態における磁性シート３１ａに代えて、第２の磁性部材としての板状コア５０を用いる構成を採用している。なお、本実施の形態においては、板状コア５０の上方に位置する磁性シートを、磁性シート３６とする。
【００６０】
この板状コア５０は、例えばセンダスト（Fe-Al-Si）、パーマロイ（Fe-Ni ）、鉄シリコンクロム（Fe-Si-Cr）等の磁性金属粉末等、種々の磁性粉末を焼結する等により形成されている。そのため、板状コア５０は、コイル２０の外周に倣う変形が不能となっている。ただし、この板状コア５０は、磁性シート３６と比較すると、単位体積当たりの磁性粉末の密度が大きく設けられている。また、板状コア５０は、磁性シート３６よりも厚さ寸法が大きくなっている。
【００６１】
なお、その他の構成は、上述の第２の実施の形態における構成と同様となっている。また、本実施の形態において、磁性シート３６と板状コア５０とを接合する手法は、上述の第１の実施の形態等におけるものと同様となっている。
【００６２】
以上のような構成の磁気素子１６では、上述の第２の実施の形態における磁気素子１１と同様、設置面Ｇに板状コア５０を配置し、この板状コア５０に対して、磁性シート３６が接合させる。このため、磁気素子１６においては、上述の第１の実施の形態における磁気素子１０の他に、接合作業が容易となり、磁気素子１６の製作が容易となる。さらに、安定的かつ略水平な設置面Ｇに板状コア５０を配置した状態で、磁性シート３６の接合が為されるため、接合強度を向上させることが可能となる。
【００６３】
また、板状コア５０のような、変形しずらい（硬い）部分が存在することにより、磁気素子１６が変形するのを防ぐことが可能となる。
【００６４】
以上、本発明の第１〜第７の実施の形態に係る磁気素子１０〜１７について説明したが、本発明はこれ以外にも種々変形可能となっている。以下、それについて述べる。
【００６５】
上述の各実施の形態のうち、第４〜第７の実施の形態における磁気素子１３〜１６においては、上述の第３の実施の形態における挿通孔４０が存在しない状態となっている。しかしながら、これら磁気素子１３〜１６に、挿通孔４０を形成するようにしても良い。
【００６６】
また、上述の第５の実施の形態における磁気素子１４、または第６の実施の形態における磁気素子１５では、磁性シート３４ａ〜３４ｃ、または磁性シート３５ａ〜３５ｃを、それぞれ３枚使用する構成を採用している。しかしながら、これらの磁気素子１４、磁気素子１５において、３枚以上の磁性シートを用いるようにしても良い。なお、３枚以上の多数の磁性シートを用いる場合において、磁性シートの枚数をＮ枚とすると、コイルの個数はＮ−１個が妥当であるが、当該コイルの個数はＮ−１個には限られず、Ｎ−２個以下（ただし、１個以上）としても良い。また、コイルの個数を、Ｎ＋１個以上としても良い。
【００６７】
なお、磁性シート等のシートの枚数がＮ枚であって、コイルの個数がＮ個以上である場合、隣り合うコイルの間には、非磁性シートが挟み込まれる構成であっても良い。この例を、図８に示す。図８に示す磁気素子１７では、シートが３枚であるが、そのうち磁性シート３７を２枚、非磁性シート３８を１枚、コイル２０を２個備えるものが例示されている。この図８の構成では、２つのコイル２０の間に、非磁性シート３８が挟み込まれる状態で、存在している。
【００６８】
また、上述の各実施の形態における磁性シート３０ａ，３０ｂ、磁性シート３１ａ，３１ｂ、磁性シート３２ａ，３２ｂ、磁性シート３３ａ，３３ｂ、磁性シート３４ａ〜３４ｃ、磁性シート３５ａ〜３５ｃは、同じ材質から構成されている。しかしながら、例えば磁性シート３０ａと磁性シート３０ｂの材質を異ならせる等、異なった材質の磁性シートを具備する構成を採用しても良い。
【００６９】
さらに、上述の第７の実施の形態では、第２の磁性部材として、板状コア５０を用いる場合について説明している。しかしながら、第２の磁性部材としては、板状コア５０には限られず、リング状コア、凹状の窪みを有するポットコア等、種々の形状の変形し難いコアを用いることが可能である。
【００７０】
また、上述の各実施の形態における磁気素子１０〜１６は、単独で用いられる場合には限られない。例えば、これらの磁気素子１０〜１６を複数列状、碁盤目状、または千鳥状に配列させると共に、その状態で樹脂等でモールド成型等することにより、複数の磁気素子１０〜１６を同時に備える磁気素子を実現することが可能となる。
【産業上の利用可能性】
【００７１】
本発明の磁気素子は、電気機器の分野において利用することができる。
【図面の簡単な説明】
【００７２】
【図１】本発明の第１の実施の形態に係る磁気素子の構成を示す側断面図である。
【図２】本発明の第２の実施の形態に係る磁気素子の構成を示す側断面図である。
【図３】本発明の第３の実施の形態に係る磁気素子の構成を示す側断面図である。
【図４】本発明の第４の実施の形態に係る磁気素子の構成を示す側断面図である。
【図５】本発明の第５の実施の形態に係る磁気素子の構成を示す側断面図である。
【図６】本発明の第６の実施の形態に係る磁気素子の構成を示す側断面図である。
【図７】本発明の第７の実施の形態に係る磁気素子の構成を示す側断面図である。
【図８】本発明の変形例に係る磁気素子の構成を示す側断面図である。
【符号の説明】
【００７３】
１０〜１７…磁気素子
２０，２０ａ，２０ｂ…コイル
３０ａ，３０ｂ，３１ａ，３１ｂ，３２ａ，３２ｂ，３３ａ，３３ｂ，３４ａ〜３４ｃ，３５ａ〜３５ｃ，３６，３７…磁性シート
３８…非磁性シート
４０…挿通孔
５０…板状コア（第２の磁性部材に対応）
Ｐ…接合部
Ｇ…設置面
【図１】
2008147342.tif 000003
【図２】
2008147342.tif 000004
【図３】
2008147342.tif 000005
【図４】
2008147342.tif 000006
【図５】
2008147342.tif 000007
【図６】
2008147342.tif 000008
【図７】
2008147342.tif 000009
【図８】
2008147342.tif 000010